(57)【特許請求の範囲】
【請求項１】
複数の断熱壁を連結して本体が構成され、これら断熱壁の外面にはバンパーが取り付けられたショーケースにおいて、
前記バンパーに形成された長手方向に渡る凹溝と、この凹溝の隣接する前記断熱壁側の端部に取り付けられ、当該凹溝内に収納された連結金具と、前記バンパーに取り付けられ、前記凹溝を開閉可能に閉塞するカバー部材と、相互に隣接する前記断熱壁のバンパー間に渡り、各バンパー端部の外面に被さる連結用バンパーとを備え、この連結用バンパーは、前記各バンパーの凹溝に取り付けられた各連結金具に固定されることを特徴とするショーケース。
【発明の詳細な説明】
【０００１】
【発明の属する技術分野】
本発明は、例えばスーパーマーケットやコンビニエンスストアなどの店内に据え付けられ、食品などの商品を陳列保存する低温ショーケースなどのショーケースに関するものである。
【０００２】
【従来の技術】
従来のこの種ショーケース、特に大型のショーケースは、例えば特開平５−３０５０１９号公報に示される如く複数台の断熱壁を連結して本体を構成している。これら断熱壁を連結する場合には、両断熱壁間に渡る一本の連結金具を両断熱壁間に取り付け、両端部を各断熱壁にそれぞれネジ止めすることにより、行っていた。
【０００３】
【発明が解決しようとする課題】
しかしながら、係る従来の連結方式では何れか一方の断熱壁に連結金具を取り付けて置くと、当該断熱壁から連結金具が突出してしまうため、取り付けた状態での出荷は不可能である。そのため、据え付け現場にて連結金具を取り付ける以外に無かった。
【０００４】
また、連結する断熱壁の高さは据え付け床面が必ずしも平坦ではないために微妙に異なる場合が多いため、両断熱壁に渡って連結金具をネジ止めする作業は困難なものとなっていた。
【０００５】
本発明は係る従来の技術的課題を解決するために成されたものであり、複数の断熱壁を連結して成るショーケースの連結作業性を改善することを目的とするものである。
【０００６】
【課題を解決するための手段】
本発明のショーケースは、複数の断熱壁を連結して本体が構成され、これら断熱壁の外面にはバンパーが取り付けられたものであって、バンパーに形成された長手方向に渡る凹溝と、この凹溝の隣接する断熱壁側の端部に取り付けられ、当該凹溝内に収納された連結金具と、バンパーに取り付けられ、凹溝を開閉可能に閉塞するカバー部材と、相互に隣接する断熱壁のバンパー間に渡り、各バンパー端部の外面に被さる連結用バンパーとを備え、この連結用バンパーは、各バンパーの凹溝に取り付けられた各連結金具に固定されることを特徴とする。
【０００７】
本発明によれば、複数の断熱壁を連結して本体が構成され、これら断熱壁の外面にはバンパーが取り付けられたショーケースにおいて、バンパーに形成した長手方向に渡る凹溝と、この凹溝の隣接する断熱壁側の端部に取り付けられ、当該凹溝内に収納された連結金具と、バンパーに取り付けられ、凹溝を開閉可能に閉塞するカバー部材と、相互に隣接する断熱壁のバンパー間に渡り、各バンパー端部の外面に被さる連結用バンパーとを設け、この連結用バンパーを、各バンパーの凹溝に取り付けられた各連結金具に固定するようにしたので、連結金具はバンパーから外方に突出することが無く、従って、連結金具を取り付けた状態で断熱壁を出荷することが可能となり、利便性が向上する。
【０００８】
また、隣接する断熱壁のバンパー双方の端部に連結金具が収納され、これらに連結用バンパーを固定することにより、両断熱壁を連結するので、両断熱壁の高さが多少異なっていても、両バンパー外面に連結用バンパーを被せて取り付け可能であり、連結作業性も著しく向上するものである。
【０００９】
特にバンパーには、凹溝を開閉可能に閉塞するカバー部材を取り付けたので、凹溝内の連結金具はカバー部材にて隠蔽され、外観にも支障が生じないものである。
【００１０】
【発明の実施の形態】
次に、図面に基づき本発明の実施形態を詳述する。図１は本発明の実施形態としての平型ショーケース１の側面図、図２は平型ショーケース１の断熱壁６Ａ、６Ｂの連結部分のバンパー５の斜視図、図３は同縦断側面図である。
【００１１】
図１において本発明のショーケース１は、スーパーマーケットなどの店舗に設置される所謂平型の低温ショーケースであり、図１に示す如く上方に向けて開口する二台の断熱壁６Ａ、６Ｂを連結することにより、上面に開口した本体６が構成され、この本体６の内部に貯蔵室３が形成されている。
【００１２】
この本体６の下部には機械室７が構成されており、この機械室７内には貯蔵室３を冷却するための冷却装置を構成する図示しない圧縮機や凝縮器などが設置されている。
【００１３】
また、貯蔵室３の底部には、図示しないワイヤラック上に図示しないデックパンと称される所定面積の商品載置板が載置され、この下方に図示しないダクト（循環路）を形成すると共に、このダクト内に冷却装置の蒸発器と送風機が設けられ、この蒸発器にて冷却された冷気を送風機によって、開口の一方の縁部に形成した図示しない吐出口から対向する他方の縁部に形成した吸込口に向けて吐出している。これによって、貯蔵室３の開口にはエアーカーテンを形成しつつ、貯蔵室３内を所定の温度に冷却している。
【００１４】
一方、各断熱壁６Ａ、６Ｂの開口縁の各辺外側には、バンパー５が取り付けられており、断熱壁６Ａ、６Ｂの外面下部にもバンパー９が取り付けられている。また、断熱壁６Ａ、６Ｂの開口縁の各辺には、二重ガラスなどから成る透明板４が立設されている。そして、各辺の透明板４・・・が相互に付き合わされる断熱壁６Ａ、６Ｂのコーナー部にはコーナー支柱８が設けられ、隣接する断熱壁６Ａ、６Ｂ側の端部には端面支柱１０が設けられている。
【００１５】
これら断熱壁６Ａ、６Ｂは一方の側壁と底壁及び前後壁を備えた左右対称形を呈しており、側壁の無い連結端側が相互に付き合わされて後述する如く連結される。そして、この連結部分のバンパー５、５には連結用バンパー１５が取り付けられ、バンパー９、９にも連結用バンパー２０が取り付けられる。
【００１６】
尚、断熱壁６Ａ、６Ｂは同様の構造であるので、以下は特に断熱壁６Ａのみを取り上げて説明する。図３において断熱壁６Ａは発泡ポリウレタン製断熱材本体１１と、この断熱材本体１１の上端（開口端）に取り付けられた木材或いは成形断熱材などから成る上断熱材１２とから構成されており、この上断熱材１２の上面には前記透明板４の下端部が嵌合される凹溝１３が形成されている。また、この凹溝１３の貯蔵室３側には、透明板４の内面下部を保持する保持壁１４が上断熱材１２に形成されている。
【００１７】
また、１６は断熱材６Ａの開口縁外側に取り付けられた鋼板製の保持板である。この保持板１６は鋼板の屈曲加工により、透明板４の外面下部に当接する保持辺１７と、この保持辺１７の上端から外側にクランク状に屈曲された上係合辺１８と、保持辺１７の下端から断熱壁６Ａの外方まで延在する水平な連結辺１９と、この連結辺１９の先端から略垂直に降下する上取付辺２１と、この上取付辺２１の下端から再び略直角に内方に屈曲され、断熱壁６Ａの上断熱材１２の外面に当接する当接辺２２などから形成されている。尚、２５はこの保持板１６の下端に取り付けられた断熱壁６Ａの外装パネルである。
【００１８】
そして、前記連結辺１９の保持辺１７側の部分が上断熱材１２の上面に当接してネジ止めされ、当接辺２２も上断熱材１２の外面にネジ止めされている。この状態で、保持板１６の保持辺１７は上断熱材１２の保持壁１４と共に透明板４を内外から保持するものである。
【００１９】
一方、前記バンパー５は硬質合成樹脂の押出成型にて構成されており、図３に示す如く外側に向けて低く傾斜した上面３１と、この上面３１の上端から垂下する係合爪部３２Ａとその内側に離間して対向する略Ｌ字状の係合顎部３２Ｂとから構成された上係合部３２と、上面３１の外端から内方に凹陥して形成された長手方向に渡る凹溝３３と、この凹溝３３の開口下端から再び内方に向け斜めに降下する下面３４とを備えている。
【００２０】
また、上記凹溝３３の開口内側には当該開口を狭めるように嵌合突起３６、３６が上下から一体に突出形成されていると共に、凹溝３３の底壁３３Ａの外面上部には下支持部３７が一体に突設されている。更に、この凹溝３３の底壁３３Ａの端部には横長のネジ孔３８、３８（図４）が穿設されている。
【００２１】
係るバンパー５の凹溝３３内には図４に示す如く連結金具４１が取り付けられている。この連結金具４１は、短冊状の鋼板をクランク状に折曲して形成されており、前記凹溝３３の底壁３３Ａの内寸と略同一の幅を有する基板部４２と、この基板部４２の一端から略直角に立ち上がった起立部４３と、この起立部４３の先端から基板部４２と反対側に略直角に折曲された固定板部４４とから成る。
【００２２】
この固定板部４４の幅は前記凹溝３３の嵌合突起３６、３６間の幅に略合致しており、これら固定板部４４及び基板部４２にはそれぞれネジ孔４６、４７が穿設されている。
【００２３】
係る連結金具４１は、生産時に予め凹溝３３の端面（他方の断熱壁６Ｂとの連結端側。尚、断熱壁６Ｂの場合には断熱壁６Ａとの連結端側となる。）の開口からその基板部４２が凹溝３３内に略キッチリと嵌合挿入される。そして、ネジ孔４７を底壁３３Ａの内側のネジ孔３８に合致させ、ネジ４８にて前方からネジ止めされている。尚、このネジ孔３８の範囲内で連結金具４１の左右位置は調整可能である。また、この状態で固定板部４４はバンパー５の端部の凹溝３３内の嵌合突起３６、３６間に位置すると共に、ネジ４８を含み連結金具４１全体は凹溝３３内に収納される（図４下。
【００２４】
図２において５１はこの凹溝３３を閉塞するためのカバー部材である。このカバー部材５１は軟質或いは半硬質の合成樹脂にてストライプ状に押出成形されており、その内面には鈎状の図示しない嵌合爪が長手方向に渡って一体に突設されている。そして、この嵌合爪を前記凹溝３３の嵌合突起３６、３６内に挿入して係脱可能に嵌合することにより、凹溝３３を開閉可能に閉塞する。
【００２５】
尚、このカバー部材５１の端部は連結金具４１の固定板部４４手前で終了しており、従って、カバー部材５１と連結金具４１との干渉は無く、また、連結金具４１の基板部４２及びネジ４８はこのカバー部材５１にて隠蔽される。
【００２６】
他方、前記連結用バンパー１５も硬質合成樹脂にて成型されており、図３に示す如くバンパー５の外面形状に略合致した形状を呈している（図３）。そして、バンパー５の凹溝３３に対応する位置には左右にネジ孔５２、５２が形成されており、これらネジ孔５２、５２は横長に構成されている。
【００２７】
以上の構成で図５を参照して上記断熱壁６Ａと断熱壁６Ｂの連結作業について説明する。尚、連結金具４１は向上出荷時に既に前述の如く凹溝３３内に取り付けられ、カバー部材５１も取り付けられているものとする。
【００２８】
そして、断熱壁６Ａ、６Ｂを連結する際には、図５に示す如く各断熱壁６Ａ、６Ｂの連結端側を相互に付き合わせて設置する。この状態で、各断熱壁６Ａ、６Ｂのバンパー５、５の端部は相互に付き合わされ、それぞれの凹溝３３、３３内に取り付けられた連結金具４１、４１の固定板部４４、４４は相互に対向する。
【００２９】
次ぎに、連結用バンパー１５をバンパー５、５の突き合わせ部分に被せ、それらの端部間に渡ってそれらの外面に密着させる。このとき、連結用バンパー１５の両端部はカバー部材５１の端部にラップする。この状態で、ネジ孔５２、５２は各連結金具４１、４１の固定板部４４、４４のネジ孔４６、４６に合致する。そして、ネジ５３、５３をネジ孔５２、５２にそれぞれ挿入し、固定板部４４、４４のネジ孔４６、４６に螺合させて固定する（図２）。
【００３０】
これによって、両断熱壁６Ａ、６Ｂは相互に連結される。特に、このとき両断熱壁６Ａ、６Ｂの高さが多少異なっていても、連結用バンパー１５はネジ孔５２内で誤差が吸収されて連結金具４１、４１に取り付け可能となるため、連結作業性は著しく向上する。また、連結金具４１はバンパー５から外方に突出していないので、連結金具４１を取り付けた状態で断熱壁６Ａ、６Ｂを出荷することが可能である。
【００３１】
尚、図６に示す如く断熱壁６Ａ、６Ｂに側板５４を取り付ける際には、図示しない側板５４の連結板を連結金具４１の固定板部４４裏側の凹溝３３内に側板５４側から挿入する。そして、連結金具４１のネジ孔４６に合致するネジ孔（５２Ａで示す）が一個設けられた連結用バンパー（１５Ａで示す）を準備し、バンパー５の側板５４側の端部外面に被せ、ネジ（５３Ａで示す）をネジ孔５２Ａに挿入し、連結金具４１のネジ孔４６と前記側板５４の連結板とに螺着して固定すれば良い。
【００３２】
また、下方のバンパー９の場合も形状こそ異なるものの、バンパー５の場合と同様に連結金具４１と連結用バンパー２０にて連結される。更に、実施例では平型ショーケースに本発明を適用したが、縦型ショーケースにも本発明は有効であることは云うまでもない。
【００３３】
【発明の効果】
以上詳述した如く本発明によれば、複数の断熱壁を連結して本体が構成され、これら断熱壁の外面にはバンパーが取り付けられたショーケースにおいて、バンパーに形成した長手方向に渡る凹溝と、この凹溝の隣接する断熱壁側の端部に取り付けられ、当該凹溝内に収納された連結金具と、バンパーに取り付けられ、凹溝を開閉可能に閉塞するカバー部材と、相互に隣接する断熱壁のバンパー間に渡り、各バンパー端部の外面に被さる連結用バンパーとを設け、この連結用バンパーを、各バンパーの凹溝に取り付けられた各連結金具に固定するようにしたので、連結金具はバンパーから外方に突出することが無く、従って、連結金具を取り付けた状態で断熱壁を出荷することが可能となり、利便性が向上する。
【００３４】
また、隣接する断熱壁のバンパー双方の端部に連結金具が収納され、これらに連結用バンパーを固定することにより、両断熱壁を連結するので、両断熱壁の高さが多少異なっていても、両バンパー外面に連結用バンパーを被せて取り付け可能であり、連結作業性も著しく向上するものである。
【００３５】
特にバンパーには、凹溝を開閉可能に閉塞するカバー部材を取り付けたので、凹溝内の連結金具はカバー部材にて隠蔽され、外観にも支障が生じないものである。
【図面の簡単な説明】
【図１】  本発明の実施例の平型ショーケースの側面図である。
【図２】  本発明の実施例の平型ショーケースの断熱壁の連結部分のバンパーの斜視図である。
【図３】  本発明の実施例の平型ショーケースの断熱壁の連結部分のバンパーの縦断側面図である。
【図４】  本発明の実施例の平型ショーケースのバンパーに連結金具を取り付ける手順を説明する図である。
【図５】  本発明の実施例の平型ショーケースの断熱壁を連結する手順を説明する図である。
【図６】  ショーケースに側板を取り付ける場合のバンパーと側板の斜視図である。
【符号の説明】
１  平型ショーケース
４  透明板
５  バンパー
６  本体
６Ａ、６Ｂ  断熱壁
１５  連結用バンパー
３３  凹溝
４１  連結金具
４２  基板部
４４  固定板部
４６、５２  ネジ孔
４８、５３  ネジ
【図１】
0003913390.tif 000002
【図２】
0003913390.tif 000003
【図３】
0003913390.tif 000004
【図４】
0003913390.tif 000005
【図５】
0003913390.tif 000006
【図６】
0003913390.tif 000007